(57)【特許請求の範囲】
【請求項１】
扉の幅方向におけるいずれか一方の側において、該扉を扉取付部に対し開閉可能に取り付ける蝶番ユニットであって、
前記扉側に装着される扉側蝶番部材と、
前記扉取付部側に装着される取付部側蝶番部材と、
前記扉側蝶番部材及び前記取付部側蝶番部材を、前記扉の開閉方向において相対的に回転可能に結合する蝶番軸と、
前記扉の側面と対向する前記扉取付部の対向面又はその扉の側面の少なくとも一方に設けられ、該扉の前後方向を調整方向として、前記扉側蝶番部材及び前記取付部側蝶番部材の少なくとも一方（以下、対応蝶番部材という）を、その調整方向において相対的にスライド可能に結合させるベース部と、
前記ベース部と前記対応蝶番部材とにまたがって設けられ、前記ベース部に対し前記対応蝶番部材を前記調整方向において進退させるとともにその位置を保持する調整ねじ機構と、
を備えるとともに、
前記ベース部には、前記蝶番軸が位置するのとは反対側の縁部からその板面方向に沿って前記蝶番軸側へ延びる切込部が所定の間隔で２ケ所に形成され、
前記ベース部のそれら切込部に挟まれた部分が該ベース部の板面から折り起こされ、
その折起こし部に対し前記調整ねじが通されるねじ挿入部が形成され、
そのねじ挿入部の周縁部において前記調整ねじの頭部が支持されるとともに、
前記調整ねじの脚部には、前記折起こし部を挟んで前記頭部とは反対側に、前記ねじ挿入部からの自身の抜けを阻止するストッパ部が設けられていることを特徴とする蝶番ユニット。
【請求項２】
前記調整ねじ機構は、前記対応蝶番部材に対しこれと一体的に設けられた調整ねじ螺合部と、前記ベース部に対し位置固定に設けられて、前記調整ねじ螺合部と螺合する調整ねじと、を含むものである請求項１記載の蝶番ユニット。
【請求項３】
前記対応蝶番部材は板状に形成され、その縁部に沿って前記蝶番軸が配置されるとともに、前記ベース部はこれと重ね合わされる板状に形成され、前記調整ねじは、前記ベース部の板面に沿う方向において、前記蝶番軸が位置するのとは反対側から、前記調整ねじ螺合部に対しねじ込まれるようになっている請求項２記載の蝶番ユニット。
【請求項４】
前記対応蝶番部材に対し、前記蝶番軸が位置するのとは反対側の縁部からその板面方向に沿って前記蝶番軸側へ延びる切欠部が形成され、前記調整ねじはその切欠部に対し、その深さ方向に相対的に出入り可能とされるとともに、その切欠部の深さ方向における中間部に前記調整ねじ螺合部としてのナット部材が固着され、これに前記調整ねじが螺合するようになっている請求項３記載の蝶番ユニット。
【請求項５】
前記対応蝶番部材と前記ベース部との重なり部において、前記対応蝶番部材側にこれを板厚方向に貫通して形成されたガイド孔と、
前記ベース部側にこれと一体的に設けられ、前記ガイド孔内を移動することにより、該ベース部と前記対応蝶番部材との相対的なスライド移動をガイドするガイド部材と、
を備えた請求項３又は４に記載の蝶番ユニット。
【発明の詳細な説明】
【０００１】
【産業上の利用分野】
本発明は、扉を扉枠等の扉取付部に取り付けるための蝶番ユニットに関する。
【０００２】
【従来の技術】
扉枠等に対して扉を蝶番で取り付ける場合、例えば図２に示すように、扉枠１０１の内周部には扉ストッパ部１０１ａが形成されており、図１６（ａ）に示すように、扉１００を閉じた状態で扉ストッパ部１０１ａと扉１００との間に隙間が生じないように、扉１００の前後方向の位置を調整しつつ蝶番１０２を取り付ける必要がある。ところが、扉１００を取り付けた時点では上述のような隙間が生じていなくとも、扉枠１０１が建物の経年変化等により変形して、図１６（ｂ）に示すように隙間ｇを生じてしまう場合がある。
【０００３】
【発明が解決しようとする課題】
これを解決するために、例えば特開平５−７１２６１号公報には、扉の前後方向の位置調整機能を有する蝶番が開示されている。これは、扉側に設けられた調整ベースに蝶番プレートを重ね合わせ、蝶番プレート側のガイド孔を貫いてガイドねじを調整ベースにねじ込むとともに、そのガイドねじをゆるめた状態で蝶番プレートを調整ベースに対しスライドさせて扉の前後方向の位置決めを行い、その後ガイドねじを締め込むことにより位置決め状態を維持させるものである。しかしながら、この構造の蝶番においては、ガイドねじをゆるめた状態においては、蝶番プレートを調整ベースに拘束する力が働かないため、扉を手等で保持しながら位置合わせしなければならず、調整が行いにくい欠点がある。
【０００４】
本発明の課題は、扉の前後方向の位置調整を容易に行うことができる蝶番ユニットを提供することにある。
【０００５】
【課題を解決するための手段及び作用・効果】
本発明は、扉の幅方向におけるいずれか一方の側において、該扉を扉取付部に対し開閉可能に取り付ける蝶番ユニットに係るものであって、扉側に装着される扉側蝶番部材と、扉取付部側に装着される取付部側蝶番部材と、扉側蝶番部材及び取付部側蝶番部材を、扉の開閉方向において相対的に回転可能に結合する蝶番軸と、扉の側面と対向する扉取付部の対向面又はその扉の側面の少なくとも一方に設けられ、該扉の前後方向を調整方向として、扉側蝶番部材及び取付部側蝶番部材の少なくとも一方（以下、対応蝶番部材という）を、その調整方向において相対的にスライド可能に結合させるベース部と、ベース部と対応蝶番部材とにまたがって設けられ、ベース部に対し対応蝶番部材を調整方向において進退させるとともにその位置を保持する調整ねじ機構と、を備えるとともに、
ベース部には、蝶番軸が位置するのとは反対側の縁部からその板面方向に沿って蝶番軸側へ延びる切込部が所定の間隔で２ケ所に形成され、ベース部のそれら切込部に挟まれた部分が該ベース部の板面から折り起こされ、その折起こし部に対し調整ねじが通されるねじ挿入部が形成され、そのねじ挿入部の周縁部において調整ねじの頭部が支持されるとともに、調整ねじの脚部には、折起こし部を挟んで頭部とは反対側に、ねじ挿入部からの自身の抜けを阻止するストッパ部が設けられていることを特徴とする。
【０００６】
上記構成の蝶番ユニットにおいては、扉の前後方向を調整方向として、扉の側面と対向する扉取付部の対向面又はその扉の側面の少なくとも一方に対しベース部が設けられ、そのベース部に対応蝶番部材がその調整方向において相対的にスライド可能に結合される。そして、それらベース部と対応蝶番部材との間にまたがって調整ねじ機構が設けられ、その調整ねじ機構の回転により対応蝶番部材が上記調整方向に進退させられるとともに、その回転量に応じた位置に位置決めされることとなる。これにより、扉の前後方向の位置調整を簡単にかつ正確に行うことができる。
【０００７】
調整ねじ機構は、具体的には、対応蝶番部材に対しこれと一体的に設けられた調整ねじ螺合部と、ベース部に対し位置固定に設けられて調整ねじ螺合部と螺合する調整ねじとを含むものとすることができる。
【０００８】
また、対応蝶番部材を板状に形成し、その縁部に沿って蝶番軸を配置することができる。そしてベース部はこれと重ね合わされる板状に形成することができる。この場合、前述の調整ねじ機構は、調整ねじ螺合部と、ベース部の板面に沿う方向において蝶番軸が位置するのとは反対側から、その調整ねじ螺合部に対しねじ込まれる調整ねじを含むものとして構成することができる。こうすれば、蝶番ユニットをコンパクトに構成することができ、扉や扉取付部等への装着も行いやすくなる。
【０００９】
上記構成の調整ねじ機構は、さらに具体的に、下記のように構成することができる。すなわち、対応蝶番部材に対し、蝶番軸が位置するのとは反対側の縁部からその板面方向に沿って蝶番軸側へ延びる切欠部を形成し、調整ねじをその切欠部に対し、その深さ方向に相対的に出入り可能に配置する。そして、その切欠部の深さ方向における中間部に調整ねじ螺合部としてのナット部材を固着し、これに調整ねじを螺合させる。これにより、蝶番ユニットをさらにコンパクトに構成できる。
【００１１】
次に、対応蝶番部材とベース部との重なり部において、対応蝶番部材側に対し、これを板厚方向に貫通するガイド孔を形成するとともに、これに対応してベース部側にこれと一体的に、上記ガイド孔内を移動することにより、ベース部と対応蝶番部材との相対的なスライド移動をガイドするガイド部材を設けることができる。これにより、対応蝶番部材のスライド移動をスムーズに行わせることができる。
【００１２】
【実施例】
以下、本発明のいくつかの実施例を図面を用いて説明する。
（実施例１）
図１に示すように、蝶番ユニット１は、それぞれ板状に形成された扉側蝶番部材３と取付部側蝶番部材４とを備える。扉側蝶番部材３はケース５０に収容され、そのケース５０とともに扉２の幅方向における側面の一方に形成された凹部５に対し嵌め込まれ、そのケース５０を厚さ方向に貫通するねじ部材５１を凹部５の底面にねじ込むことにより固定されている。ここで、凹部５は扉２を厚さ方向に貫通して形成され、ケース５０の幅はその扉２の厚さとほぼ等しくなるように設定されている。これによりケース５０は、凹部５に嵌着された状態において、その両側面が扉２の前後の扉面とそれぞれほぼ面一となるように構成されている。一方、取付部側蝶番部材４は、扉２の側面部２ａに対向する扉取付部としての扉枠７にねじ４ａ等（図３）により装着される。
【００１３】
扉側蝶番部材３及び取付部側蝶番部材４は、例えば鋼板等で縦長の長方形状に形成されており、その長手方向の縁部の上側ないし下側から幅方向に突出して形成された張出部を丸めることにより、円筒状の扉側軸受部８及び取付部側軸受部９がそれぞれ形成されている。そして、下端部にストッパフランジ１３ａを備えた蝶番軸１３が、両軸受部８及び９に対し下方から差し込まれ、扉側蝶番部材３及び取付部側蝶番部材４を扉２の開閉方向において相対的に回転可能に結合する。また、扉側軸受部８にはキャップ８ａが嵌め込まれており、さらに、両軸受部８及び９の間にはプラスチック等で形成された受けリング１３ｂが配置されている。そして、このような蝶番ユニット１が、例えば図２に示すように、扉２の側面の複数箇所（例えば上下２ケ所）に取り付けられることとなる。
【００１４】
図３は、蝶番ユニット１の、ケース５０の内部に収容された部分の構造を示している。すなわち、扉側蝶番部材３（対応蝶番部材）は、ケース５０の一方の側面に形成されたスリット部５０ａからその内側に挿入されるとともに、その板厚方向下側にはベース部５２が重ね合わされている。ベース部５２は、図４（ａ）に示すように鋼等により板状に形成され、その一方の縁部５２ａの中央付近において、その縁部５２ａから板面方向に沿って蝶番軸１３側へ延びる切込部５３が所定の間隔で２ケ所に形成されている。また、同図（ｂ）に示すように、ベース部５２のそれら切込部５３に挟まれた部分が、該ベース部５２の板面から折り起こされて折起こし部５４とされている。また、その折起こし部５４にはこれを貫通して調整ねじ挿入部５５が形成されている。さらに、折起こし部５４に対応する位置には、ベース部５２を板厚方向に貫通する空隙部５６が調整ねじ挿入部５５と一体に形成されている。この空隙部５６は調整ねじ５９（図３等）を調整ねじ挿入部５５に装着する際の逃がし孔の役割を果たすとともに、調整ねじ螺合部としてのナット部材５８（図３等）の収容部としても機能する。
【００１５】
一方、図５に示すように扉側蝶番部材３には、ベース部５２側の空隙部５６に対応する位置に、その一方の縁部３ａから板面方向に沿って蝶番軸側へ延びる切欠部５７が形成されている。その切欠部５７の中間部には、その切欠部５７より広幅のナット装着部５７ａが形成されている。そして、図３に示すように、このナット装着部５７ａにナット部材５８が嵌め込まれている。このナット部材５８は、図７に示すように、下側がナット装着部５８よりもやや幅が小さく形成されてこれに嵌め込まれる一方、上側はそれよりも広幅の抜止め部（５８ａ）とされている。
【００１６】
そして、図３に示すように、上記ナット部材５８に対し調整ねじ５９が、蝶番軸１３が配置されているのとは反対側からベース部５２の板面に沿う方向にねじ込まれている。この調整ねじ５９は、扉側蝶番部材３に形成された切欠部５７に対しその深さ方向に相対的に出入り可能とされるとともに、ベース部５２の折り起こし部５４に形成された調整ねじ挿入部５５の周縁部において、その頭部５９ａが支持されるようになっている。また、調整ねじ５９の脚部には、折起こし部５４を挟んで頭部５９ａとは反対側に、ねじ挿入部５５からの自身の抜けを阻止するフランジ状のストッパ部５９ｂが一体に形成されている。そして、この調整ねじ５９を回転させることにより、調整ねじ５９上におけるナット部材５８の位置が変化し、それによって扉側蝶番部材３がベース部５２に対し、調整ねじ５２の軸方向に相対的にスライド移動させられる。
【００１７】
次に、図３及び図５に示すように、扉側蝶番部材３とベース部５２との重なり部において、扉側蝶番部材３側には、これを板厚方向に貫通するとともに調整ねじ５９の軸方向に延びる長穴状のガイド孔６４が、切欠部５７を挟んで両側２箇所に形成されている。また、図４に示すように、ベース部５２のそれらガイド孔６４に対応する位置には、それぞれガイド部材装着孔６３が形成されている。そして、図７に示すように、扉側蝶番部材３とベース部５２とを重ね合わせた状態において、それらガイド孔６４及びガイド部材装着孔６３に対し頭部６５ａを有するガイド部材６５が挿入され、その反対側に突出した末端部にかしめ部６５ｂを形成することにより、そのガイド部材６５がベース部５２に対し固定されている。このガイド部材６５がガイド孔６４内を移動することにより、扉側蝶番部材３とベース部５２との間の相対移動がガイドされるとともに、そのスライド方向と交差する向きにおける両部材３及び５２の間のがたつきが防止ないし抑制される。また、ガイド部材６５の頭部６５ａは、両部材３及び５２の重ね方向におけるがたつきを防止する役割を果たす。
【００１８】
重ね合わされた扉側蝶番部材３とベース部５２とは、図８（ａ）〜（ｃ）に示すケース部５０に収容される。ケース部５０の一方の側面には前述のスリット部５０ａが形成される一方、他方の側面には調整ねじ５９に対応する位置に、ドライバー挿入孔５０ｂが形成されており、図６（ｂ）に示すように、ここからドライバーＤを差し込んで調整ねじ５９を回転させるようになっている。また、ケース部５０の４隅部にはねじ孔５０ｃが形成されるとともに、図４に示すように、これに対応してベース部材５２にもねじ孔６０が形成されている。そして、図７に示すように、これらねじ孔５０ｃ及び６０を貫通してねじ部材５１を凹部５に対しねじ込むことにより、ベース部材５２、扉側蝶番部材３及びケース部５０が扉２に対し固定される。なお、ケース部５０及びベース部材５２には、それらをねじ６６により結合するためのねじ孔６０ｄ及び６１がそれぞれ形成されている。
【００１９】
以下、蝶番ユニット１の作用について説明する。
すなわち、図９に示すように、ケース５０のドライバ挿入孔５０ｂ（図６等）からドライバＤを差し込み、調整ねじ５９を回転させることにより、図６に示すように、これに螺合するナット部材５８が調整ねじ５９上を相対的に移動し、扉側蝶番部材３もナット部材５８とともにベース部５２に対し相対的に移動する。ここで、図１に示すように、取付部側蝶番部材３は扉枠７に対し固定されていることから、図９に示すように、その固定された取付部側蝶番部材３、及び扉枠７に対し、扉２がベース部５２とともに前後方向に移動してその位置調整がなされることとなる。そして、調整ねじ５９の回転を停止すれば、扉側蝶番部材３はベース部５２に対する相対移動を停止してその位置を保持し、扉２もそこで扉枠７に対し位置決めされることとなる。例えば、扉２と扉枠７の内周面に形成されたストッパ部７ａ（図２参照）との間に隙間ｇが生じている場合には、調整ねじ５９を回転させて隙間ｇが減少する方向に扉２を移動させ、隙間ｇが解消された時点でねじの回転を停止すればよい。
【００２０】
ここで、図２において、上下の蝶番ユニット１による扉側蝶番部材３の進退量および方向を異ならせることもできる。これにより、扉２の上部および下部をそれぞれ異なる距離だけ進退させて、これを前後方向に傾斜させることができる。例えば図１６に示すように、ストッパ部７ａの上部においてのみ隙間ｇが生じた場合においても、上述の方法により扉２を傾斜させればこの隙間ｇを解消することができる。
【００２１】
また、図１０に示すように、ケース部５０の側面部に凹部５０ｅを形成し、その底部に該側面部を貫通する調整ねじ螺合部としての雌ねじ孔５０ｆを形成するとともに、この雌ねじ孔５０ｆに調整ねじ５９を螺合させることもできる。ケース部５０の内側へ突出した調整ねじ５９の先端部には２つのフランジ部５９ｄが形成され、それらの間に扉側蝶番部材３の折起こし部３ｂに形成された調整ねじ挿入部３ｃが嵌め合わされることにより、調整ねじ５９は扉側蝶番部材３に対し回転可能、かつこれと一体に進退可能に結合されている。なお、扉側蝶番部材３に形成された３ｄは、調整ねじ５９を調整ねじ挿入部３ｃに装着するための逃がし孔である。一方、ベース部２は取付部側蝶番部材４側に設けることもでき、この場合は、その取付部側蝶番部材４が対応蝶番部材とされてベース部２に対し相対的にスライドさせられる。
【００２２】
（実施例２）
図１１に示す蝶番ユニット１５１においては、扉側蝶番部材３側が実施例１と全く同様に構成されて、扉２に取り付けられている。一方、取付部側軸受部９の内側にその軸方向にスライド可能な取付部側スリーブ１０が挿入され、その内側に蝶番軸１３が上方から挿入されている。また、取付部側スリーブ１０の上端側には取付部側軸受部９の外径とほぼ等しい外径のフランジ部１１が形成されている。このフランジ部１１は、取付部側軸受部９の上端側とともにキャップ１７により覆われており、その上面には蝶番軸１３の軸受部９への進入を許容するために、孔部１７ａが形成されている。そして、フランジ部１１の上面側は、このキャップ１７を介して扉側軸受部８の下縁部８ｂを支持することとなる。
【００２３】
次に、図１２（ａ）に示すように、取付部側スリーブ１０の底面側には凹部１０ｃが形成され、ここに金属等で構成される当て板１２が嵌め込まれている。一方、図１１に示すように、軸受部９の下端側には、雌ねじ部材１５が軸受部９に対し下側から差し込まれ、その下端側に形成されたフランジ部１５ａにおいて軸受部９に対し溶接等により固着されている。そして、雌ねじ部材１５には、上下調整ねじ螺合部としての雌ねじ孔１４が蝶番軸１３の軸方向に沿って形成されており、下側から上下調整ねじ１６が螺合している。
【００２４】
この上下調整ねじ１６は、そのねじ込み量を変化させることにより蝶番軸１３の軸方向において、取付部側軸受部９に対する自身の上下方向の相対位置を変化させる。なお、その位置変化のストロークは、形成された上下調整ねじ部１６の長さに応じて定まることとなる。そして、上下調整ねじ１６は、先端側が取付部側スリーブ１０の底部に当接した状態で昇降することによりスリーブ１０を昇降させる。そして、スリーブ１０のフランジ部１１は、キャップ１７を上方にスライドさせながら扉側軸受部８を昇降させる。ここで、蝶番軸１３は、スリーブ１０内への進入量は常に一定であるが、上下調整用ストッパ部としてのフランジ部１１の位置が上下調整ねじ１６のねじ込み量に応じて変化し、これにより蝶番軸１３の扉側軸受部８内への進入量が変化して、扉側蝶番部材３すなわち扉２の上下方向への位置調整が可能となる。
【００２５】
図１１に戻って、取付部側スリーブ１０の外側面にはその軸方向に沿って、軸受部９の溝部９ａと嵌合するガイドリブ１０ａと、複数の補助リブ１０ｂが形成されている。ガイドリブ１０ａは、軸受部９内における取付部側スリーブ１０のスライドをガイドするとともに、軸受部９に対する取付部側スリーブ１０の相対回転を阻止する。また、補助リブ１０ｂは、軸受部９内側面との間の摩擦力で取付部側スリーブ１０の半径方向へのがたつきを抑制する。
【００２６】
次に、蝶番軸１３は、扉側軸受部８に対しその軸方向に相対的にスライド可能に挿入されている。その蝶番軸１３の上端にはストッパフランジ１８が形成されており、扉側軸受部８の上端に当たることで、蝶番軸１３の下側へのスライド限度が規定される。この下限位置までスライドした状態において、蝶番軸１３は扉側軸受部８の下端から所定長さだけ突出し、取付部側スリーブ１０内に挿入されることとなる。また、蝶番軸１３は上方にスライドすることにより、扉側軸受部８からの突出部の長さが減少する。なお、ストッパフランジ１８の下面側は、中心軸側において突出するテーパ面１８ａとされ、蝶番軸１３が上記下限位置まで押し込まれた際に、ストッパフランジ１８と扉側軸受部８との間に若干の隙間を形成して、指等によるストッパフランジ１８の昇降操作を行いやすくしている。
【００２７】
また、図１２（ａ）に示すように、蝶番軸１３の中間にはスリーブ位置決めリブ１９が周方向に沿って形成されており、該リブ１９とストッパフランジ１８との間には、プラスチック等で円筒状に形成された扉側スリーブ２０が外側から嵌め込まれている。扉側スリーブ２０は、図１３（ｃ）に示すように、その軸方向に関して一方の側に、その外側面から内側面に至る切れ目２１が該軸方向に沿って形成され、さらに、その切れ目２１と反対側には、軸方向に沿って折返部２２が形成されている。そして、同図（ａ）及び（ｂ）に示すように、扉側スリーブ２０は、その折返部２２において切れ目２１から両側に開いた状態で、軸方向と交差する方向から蝶番軸１３に当てがわれ、（ｃ）に示すように再び閉じることにより、蝶番軸１３に対し装着されることとなる。ここで、切れ目２１を挟んで扉側スリーブ２０の一方の側には爪部２３が、他方の側にはこの爪部２３に対応して爪係合部２３ａがそれぞれ形成されており、これら両者が係合しあうことにより、（ｃ）に示すように扉側スリーブ２０はその閉状態を維持するようになっている。
【００２８】
図１３（ａ）に示すように、扉側スリーブ２０の下端側からは、軸方向に沿って２本の切込み２４が所定の長さで形成されており、それら切込み２４の間に挟まれた部分が弾性爪部２５とされている。図１２（ａ）に示すように、この弾性爪部２５の先端部には、外側に突出するように軸側係合部２６が形成されている。扉側スリーブ２０は、蝶番軸１３に装着された状態で扉側軸受部８に対し、溝部８ａに軸側係合部２６が嵌まり込んだ状態で挿入され、軸側係合部２６が溝部８ａにより案内されつつ、扉側軸受部８内を蝶番軸１３とともにスライドする。一方、溝部８ａの上端側には軸受側係合部２７が形成されており、図１２（ｂ）に示すように蝶番軸１３が上方にスライドした際に軸側係合部２６と係合することにより、蝶番軸１３の上方側へのスライド限度を規定している。すなわち、これら軸側及び軸受側係合部２６及び２７がストッパ機構を構成している。なお、軸側係合部２６の外面下部には図１２（ａ）に示すように斜面２６ａが形成されている。そして、扉側スリーブ２０が装着された蝶番軸１３を扉側軸受部８へ挿入する際に、この斜面２６ａが軸受側係合部２７に上方から当るとともに、弾性爪部２５が内側へ若干弾性変形し、軸側係合部２６は軸受側係合部２７を乗り越えてその下側へ移動する。そして、弾性爪部２５が弾性復帰することにより、軸側係合部２６と軸受側係合部２７とが係合状態となる。
【００２９】
なお、図１２（ｂ）では蝶番軸１３は、その上限位置までスライドした状態において、下端側が扉側軸受部８から突出を生じないようにされているが、軸方向における軸側係合部２６（あるいは軸受側係合部２７）の形成位置を変更することにより、図１４に示すように、蝶番軸１３がその上限位置において扉側軸受部８から所定長さｈ’だけ突出するように構成することができる。
【００３０】
以下、蝶番ユニット１５１の作用のうち、実施例１の蝶番ユニット１と異なる点について説明する。まず、図１２（ｂ）に示すように、扉側軸受部８に対し蝶番軸１３を上限位置までスライドさせた状態とする。ここで、図２において、扉２の上部に取り付けられた蝶番ユニット１は図１２に示すタイプのもの、すなわち、蝶番軸１３が上限位置において軸受部８から突出しないものが使用されており、下側の蝶番ユニット１５１は図１４に示すタイプのもの、すなわち蝶番軸１３が上限位置において所定長さｈ’だけ突出するものが使用されている。その使用方法であるが、まず下側の蝶番ユニット１５１において、その突出した蝶番軸１３の先端部を取付部側軸受部９に挿入することにより、蝶番軸１３の取付部側軸受部９に対する位置決めを行う。そして、この状態で上側の蝶番ユニット１において、扉側軸受部８の下面と取付部側軸受部９の上面とを位置合わせし、両蝶番ユニット１５１の蝶番軸１３をそれぞれ下方へ押し込んでスライドさせれば、扉２を扉枠７に対し簡単に取り付けることができる。
【００３１】
次に、図１５に示すように、蝶番ユニット１５１においては、扉２の上下方向への位置調整も可能となっている。すなわち、取付部側軸受部９下部の上下調整ねじ１６を回転させると、その先端側が取付部側スリーブ１０の底部に当接して移動することによりこれを昇降させる。そして、スリーブ１０のフランジ部１１が、キャップ１７を上方にスライドさせながら扉側軸受部８を昇降させて、扉２の上下方向への位置が調整される。なお、この調整は、扉を取り外した状態で行うことができる。ここで、図１５（ａ）は、スリーブ１０が下限位置まで下降した状態を、（ｂ）は上限位置まで上昇した状態をそれぞれ示している。
【図面の簡単な説明】
【図１】実施例１の蝶番ユニットの分解斜視図。
【図２】蝶番ユニットの扉に対する取付例を示す斜視図。
【図３】図１の蝶番ユニットを内部構造とともに示す正面図。
【図４】ベース部の正面図および側面図。
【図５】扉側蝶番部材の正面図。
【図６】図３のＡ−Ａ断面図。
【図７】同じくＢ−Ｂ断面図。
【図８】ケース部の正面図、側面図およびＣ−Ｃ断面図。
【図９】実施例１の蝶番ユニットの作用説明図。
【図１０】調整ねじ機構の変形例を示す正面断面図及び扉側蝶番部材の側面図。
【図１１】実施例２の蝶番ユニットの一例を示す分解斜視図。
【図１２】図１１の蝶番ユニットの内部構造を、その作用とともに示す正面断面図。
【図１３】扉側スリーブの構造をその作用とともに示す説明図。
【図１４】図１２に示す構造の変形例を示す正面断面図。
【図１５】上下調整ねじにより蝶番軸の位置調整を行う場合の、蝶番軸の上限位置及び下限位置を示す正面断面図。
【図１６】扉枠の変形に伴い、扉と扉枠のストッパ部との間に隙間が生ずる様子を示す説明図。
【符号の説明】
１  蝶番ユニット
２  扉
３  扉側蝶番部材
４  取付部側蝶番部材
５２  ベース部
５３  切込部
５４  折起こし部
５５  調整ねじ挿入部
５７  切欠部
５８  ナット部材（調整ねじ螺合部）
５９  調整ねじ
５９ａ  頭部
５９ｂ  ストッパ部
６４  ガイド孔
６５  ガイド部材
【図１】
0003715687.tif 000002
【図２】
0003715687.tif 000003
【図３】
0003715687.tif 000004
【図４】
0003715687.tif 000005
【図５】
0003715687.tif 000006
【図６】
0003715687.tif 000007
【図７】
0003715687.tif 000008
【図８】
0003715687.tif 000009
【図９】
0003715687.tif 000010
【図１０】
0003715687.tif 000011
【図１１】
0003715687.tif 000012
【図１２】
0003715687.tif 000013
【図１３】
0003715687.tif 000014
【図１４】
0003715687.tif 000015
【図１５】
0003715687.tif 000016
【図１６】
0003715687.tif 000017